(57)【要約】【課題】担架として用いること、鳥獣の食害によるゴミの散乱防、コストの低減、省スペース化を実現しうる担架兼用ゴミ収納装置を提供する。【解決手段】担架兼用ゴミ収納装置１を構成する本体部１０は無端状の枠体であり、内側に開口部１１を有しており、曲軸体２、３は、両端が本体部１０に軸回転可能に取り付けられており、第１網部４１は開口部１１を覆っており、第２網部４２は、２つの曲軸体（２、３）にまたがって取り付けられ、軸回転（Ｒ１、Ｒ２）により生じる２つの曲軸体（２、３）の隙間ｇを覆い、ゴミ収納空間１００は第１網部４１と、第２網部４２とによって画定され軸回動（Ｒ１、Ｒ２）に応じて開閉される。【選択図】図１
2014234302.tif 000002
【特許請求の範囲】
【請求項１】
本体部と、２つの曲軸体と、第１網部と、第２網部と、ゴミ収納空間とを含む担架兼用ゴミ収納装置であって、
前記本体部は、無端状の枠体であり、内側に開口部を有しており、
前記曲軸体は、前記本体部に軸回転可能に取り付けられており、
前記第１網部は、前記開口部を覆っており、
前記第２網部は、前記２つの曲軸体にまたがって取り付けられ、前記軸回転により生じる前記２つの曲軸体の隙間を覆い、
前記ゴミ収納空間は、前記第１網部と、前記第２網部とによって画定され、前記軸回動に応じて開閉される、
担架兼用ゴミ収納装置。
【発明の詳細な説明】
【技術分野】
【０００１】
本発明は、担架兼用ゴミ収納装置に関する。
【背景技術】
【０００２】
従来、地域住民が、所定のゴミ収集場所にゴミを出してから、収集車が出されたゴミを収集するまでの間に、烏や鳩、猫など人間の生活圏に存在する鳥獣が食い荒らし、ゴミ収集場所、及び、その付近の道路上に、食い荒らされたゴミが散乱することが知られている。
【０００３】
上述した鳥獣の食害によるゴミの散乱を防止し、ゴミ収集場所の付近を清潔に保つとともに、ゴミ収集作業の高効率化を実現するため、例えば特許文献１乃至３に記載されているように、種々のゴミ収納装置が提案され、実用に供されている。特許文献１記載のゴミ収納装置は、いわゆるゴミストッカーであって、ゴミ収納空間を有する箱状本体と、その開口部を開閉可能に覆う蓋体とで構成されており、ゴミを収納空間に収納する。
【０００４】
特許文献２記載のゴミ収納装置は、いわゆるゴミ保護ネットであって、ゴミ収集場所に出されたゴミを覆うように配置される。また、特許文献３記載のゴミ収納装置は、開口部を有する袋状のゴミ保護ネットと、それを保持するスタンド部とを有し、スタンド部は、ゴミ保護ネットが取り付けられた状態で、前記開口部を、がま口様に開閉させる。
【０００５】
確かに、特許文献１乃至３記載のゴミ収納装置によると、ゴミに対する鳥獣の食害を防止することができる。しかし、特許文献１乃至３記載のゴミ収納装置では、以下の点で問題が生じる。
【０００６】
まず、一般にゴミ収集場所は、一地域内に分散して多数配置されるため、この種のゴミ収納装置は、一つ当たりの製造費、ゴミ収集場所までの運搬費、ゴミ収集場所での設置費などのコストが抑えられなければならない。また、この種のゴミ収納装置は、自動車や歩行者の通行を妨げないよう、通常、歩道上の限られたスペースに設置されるから、省スペース化が実現されていなければならない。これに対し、特許文献１記載のゴミストッカーは、本体部分が箱状であるから、コスト高を招くとともに、嵩張る分だけ相当な広さの設置スペースが必要となる。
【０００７】
次に、特許文献２記載のゴミ収納装置は、いわゆるゴミ保護ネットであり、同文献２には、ゴミ保護ネットを支持させるための特別な機構が開示されていないから、例えば強風によって容易に吹き飛ばされ、ゴミが外部に露出する問題が生じる。同様に、特許文献２には、ゴミ保護ネットを開閉させるための特別な機構が開示されていないから、地域住民は、自分が出したゴミ、さらには既に出されている他人のゴミの両者を完全に覆うように、ゴミ保護ネットを手作業で配置する必要があるものの、ゴミ保護ネットの配置は杜撰に行われることが少なくない。その結果、ゴミが外部に露出する問題が生じる。
【０００８】
他方、特許文献３記載のゴミ収納装置は、ゴミ保護ネットを支持し、これを開閉させるための特別な機構が記載されているものの、特許文献３の記載内容では、特許文献１で説明したコスト高の問題、及び、省スペース化の問題を完全に解消することはできない。
【０００９】
さらに、近年、東日本大震災を契機として、自然災害や事件、事故（災害等）に対する国民の防災意識が高まっている。特に、災害等の人的被害を最小限に抑えるには、災害等の発生の初期段階、すなわち、人々が現に生活している地域内で、目の前の要救助者に対し、地域住民が迅速に救助活動を行うことが求められる。この要請に応えるゴミ収納装置は、特許文献１乃至３を含め、これまで提案されていない。
【先行技術文献】
【特許文献】
【００１０】
【特許文献１】特開２０１０−２５４４２４号公報
【特許文献２】特開２００７−２３８３２５号公報
【特許文献３】特開２０１３−０５２９３０号公報
【発明の開示】
【発明が解決しようとする課題】
【００１１】
本発明の課題は、担架として用いることができるゴミ収納装置を提供することである。
【００１２】
本発明のもう１つの課題は、鳥獣の食害によるゴミの散乱を防止しうる担架兼用ゴミ収納装置を提供することである。
【００１３】
本発明の更にもう一つの課題は、コストの低減、及び、省スペース化を実現しうる担架兼用ゴミ収納装置を提供することである。
【課題を解決するための手段】
【００１４】
上述した課題を解決するため、本発明に係る担架兼用ゴミ収納装置は、本体部と、２つの曲軸体と、第１網部と、第２網部と、ゴミ収納空間とを含む。本体部は、無端状の枠体であり、内側に開口部を有している。曲軸体は、本体部に軸回転可能に取り付けられている。第１網部は、本体部の開口部を覆っている。第２網部は、２つの曲軸体にまたがって取り付けられ、軸回転により生じる２つの曲軸体の隙間を覆う。ゴミ収納空間は、第１網部と、第２網部とによって画定され、軸回動に応じて開閉される。
【００１５】
上述のように、本発明に係る担架兼用ゴミ収納装置は、無端状の枠体である本体部と、２つの曲軸体と、第１網部と、第２網部とによって構成されるから、安価に製造しうる。従って、コストの低減を実現しうる担架兼用ゴミ収納装置を提供することができる。
【００１６】
曲軸体は、本体部に軸回転可能に取り付けられているから、例えば、２つの曲軸体を軸回動させて、本体部に重ね合わせることができる。従って、省スペース化を実現しうる担架兼用ゴミ収納装置を提供することができる。
【００１７】
本発明に係る担架兼用ゴミ収納装置のゴミ収納空間は、第１網部と、第２網部とによって画定され、２つの曲軸体の軸回動に応じて開閉される。すなわち、第１網部は本体部の開口部を覆っており、第２網部は２つの曲軸体にまたがって取り付けられ、軸回転による相対的な位置の差異に応じて２つの曲軸体の間に生じる隙間を覆う。この構成によると、例えば、地域住民は、曲軸体を軸回転させることによりゴミ収納空間を開放してゴミを投入し、投入後は曲軸体を軸回転させてゴミ収納空間を閉鎖することができる。従って、鳥獣の食害によるゴミの散乱を防止しうる担架兼用ゴミ収納装置を提供することができる。
【００１８】
ところで、既に説明したところではあるが、近年、東日本大震災を契機として、自然災害や事件、事故（災害等）に対する国民の防災意識が高まっている。特に、災害等の人的被害を最小限に抑えるには、災害等の発生の初期段階、すなわち、人々が現に生活している地域内で、目の前の要救助者に対し、地域住民が迅速に救助活動を行うことが求められる。
【００１９】
上述した要請に対し、本発明に係る担架兼用ゴミ収納装置を構成する本体部は、無端状の枠体であり、内側に開口部を有している。第１網部は、本体部の開口部を覆っている。この構成によると、本体部を、開口部が地面と平行になるように持つことにより、開口部を覆う第１網部に傷病者を載せて搬送するなど、いわゆる担架として用いることができる。
【００２０】
ここで、本体部は、無端状の枠体であるから、担架として要求される機械的強度を備えている。また、本発明に係るゴミ収納装置を担架として用いる場合、２つの曲軸体を軸回動させて、本体部に重ね合わせることにより、２つの曲軸体と、本体部とが同一面を構成するから、傷病者を安定した姿勢で、安全に搬送することができる。
【発明の効果】
【００２１】
以上述べたように、本発明によれば、次のような効果を得ることができる。
（１）担架として用いることができるゴミ収納装置を提供することができる。
（２）鳥獣の食害によるゴミの散乱を防止しうる担架兼用ゴミ収納装置を提供することができる。
（３）コストの低減、及び、省スペース化を実現しうる担架兼用ゴミ収納装置を提供することができる。
【００２２】
本発明の他の目的、構成及び利点については、添付図面を参照し、更に詳しく説明する。添付図面は、単に、例示に過ぎない。
【図面の簡単な説明】
【００２３】
【図１】本発明の実施形態に係る担架兼用ゴミ収納装置の斜視図である。
【図２】図１の担架兼用ゴミ収納装置の一部を省略して示す側面断面図である。
【図３】図１の担架兼用ゴミ収納装置の一部を省略して示す分解構造図である。
【図４】図１の担架兼用ゴミ収納装置の一部を省略して示す斜視図である。
【図５】図１の担架兼用ゴミ収納装置の一部を拡大して示す斜視図である。
【図６】図１乃至図５の担架兼用ゴミ収納装置の使用状態を示す斜視図である。
【図７】図１乃至図５の担架兼用ゴミ収納装置のもう１つの使用状態を示す斜視図である。
【図８】図１乃至図５の担架兼用ゴミ収納装置の更にもう一つの使用状態を示す斜視図である。
【発明を実施するための形態】
【００２４】
図１乃至図８において同一符号は、同一又は対応部分を示すものとする。本発明の実施形態に係る担架兼用ゴミ収納装置１の特徴の１つは、烏や鳩、猫など人間の生活圏に存在する鳥獣の食害によるゴミの散乱を防止し、ゴミ収集場所の付近を清潔に保つとともに、ゴミ収集作業の高効率化を実現するものであって、図１乃至図５に示すように、本体部１０と、２つの曲軸体（２、３）と、第１網部４１と、第２網部４２と、ゴミ収納空間１００とを含む。
【００２５】
本体部１０は、無端状の枠体であり、中央に枠体によって囲まれた開口部１１を有している。図１乃至図５の本体部１０は、正面からみて矩形状、端的に言えばロの字状の枠体であって、横方向Ｗに延びる一対の長辺と、横方向Ｗに直交する縦方向Ｌに延びる一対の短辺とを有し、面内に奥行方向ｄに貫通する開口部１１を有している。本体部１０は、一対の長辺と、一対の短辺とが一体的に連続する無端構造であるが、これらを適宜分割して組立構造とすることもできる。
【００２６】
本体部１０は、中空部を有する筒状体、又は、パイプ状体で構成されている。本体部１０には、機械的強度、耐候性、耐腐食性の観点から、例えばステンレス鋼、アルミ合金などの金属材料が用いられる。また、材料コストの観点からすると、鉄など腐食しやすい金属材料を用いた場合であっても、表面に防錆層を形成するなど防錆処理をして、必要な耐候性、耐腐食性を確保することもできる。
【００２７】
２つの曲軸体（２、３）のそれぞれは、複数の屈曲部分を有する中実の棒状体であり、両端（２１、２１、及び、３１、３１）が本体部１０に軸回転可能に取り付けられている。図１乃至図５の第１曲軸体２は、正面からみてコの字状の細棒である。第１曲軸体２には、機械的強度、耐候性、耐腐食性の観点から、例えばステンレス鋼、アルミ合金などの金属材料が用いられる。また、材料コストの観点からすると、鉄など腐食しやすい金属材料を用いた場合であっても、表面に防錆層を形成するなど防錆処理をして、必要な耐候性、耐腐食性を確保することもできる。さらに言えば、第１曲軸体２には、軽量性の観点から、合成樹脂材料、繊維強化プラスチック（ＦＲＰ）などを用いてもよい。
【００２８】
第１曲軸体２は、一対の第１端部２１、２１と、一対の第１支持辺２２、２２と、第１移動辺２３とを有し、一対の第１端部２１、２１が、本体部１０に軸回転可能に取り付けられている。第１曲軸体２において、一対の第１端部２１、２１と、一対の第１支持辺２２、２２と、第１移動辺２３とは、一体的に連続するものであるが、これらを適宜分割して組立構造とすることもできる。
【００２９】
一対の第１端部２１、２１は、横方向Ｗでみて一点鎖線で示す直線ａ上に重なっている（図４参照）。違う言葉で表現すれば、第１曲軸体２は、一対の第１端部２１、２１を回転軸ａとして軸回転することができる。軸回転の方向について、設置面に近づく方向を軸回転Ｒ１とし、設置面から遠ざかる方向（本体部１０の側）を軸回転Ｒ２とする。
【００３０】
一対の第１支持辺２２、２２は、横方向Ｗに間隔を隔てて、互いに平行する関係で向かい向かい合い、それぞれの一端が、屈曲部分を介して第１端部２１に連続している。第１支持辺２２は、第１端部２１と、第１移動辺２３とを連結し、第１移動辺２３の回転半径を決定する。違う言葉で表現すれば、第１支持辺２２は、第１端部２１と、第１移動辺２３とを接続する２つの屈曲部分の間にあらわれている。すなわち、第１曲軸体２は、少なくとも、第１端部２１と第１支持辺２２との接続部分、及び、第１支持辺２２と第１移動辺２３との接続部分にそれぞれ屈曲部分を有するクランクシャフト状の屈曲構造となっている。
【００３１】
第１曲軸体２は、開口部１１の内部に収納可能な形状を有し、第１端部２１が、開口部１１を構成する本体部１０の内縁１２に設けられた軸受孔１３に、軸回転可能に取り付けられている。第１移動辺２３は、両端が屈曲部分を介して第１支持辺２２の他端に連続し、第１支持辺２２の長さを回転半径とする円弧上を移動する。第１移動辺２３は、横方向Ｗでみた第１曲軸体２の中間部分であって、第１端部２１と平行し、横方向Ｗの両端が屈曲部分を介して第１端部２１のそれぞれに連続している。第１移動辺２３は、第１端部２１を回転軸ａとして軸回転させたとき、矢印Ｒ１、Ｒ２で示す方向に回転運動する。違う言葉で表現すれば、第１移動辺２３は、第１曲軸体２が軸回転するとき、第１端部２１を中心とする円弧上を、Ｒ１、Ｒ２方向にスイング移動する。
【００３２】
第２曲軸体３は、第１曲軸体２と基本的に同一の構成を有している。以下、相違点を中心に簡単に説明する。第２曲軸体３は、正面からみてコの字状の細棒であって、金属材料、合成樹脂材料、繊維強化プラスチック（ＦＲＰ）などで構成されている。第２曲軸体３は、一対の第２端部３１と、一対の第２支持辺３２と、第２移動辺３３とを有し、第２端部３１が本体部１０に軸回転可能に取り付けられている。
【００３３】
第２曲軸体３は、開口部１１の内部に収納可能な形状を有し、第２端部３１が軸受孔１３に軸回転可能に取り付けられている。さらに、第２曲軸体３は、第１曲軸体２よりも大きく、内部に第１曲軸体２を収納可能な形状を有している。より詳細に説明すると、図１乃至図５の第２支持辺３２は縦方向Ｌでみて第１支持辺２２より長く、第２移動辺３３は横方向Ｗでみて第１移動辺２３よりも長くなっている。違う言葉で表現すれば、第２曲軸体３は、正面からみて第１曲軸体２を拡大した相似形となっており、第１曲軸体２と重ね合わせた状態で、コの字状の開口領域内に、第１曲軸体２が収納される構造となっている。
【００３４】
また、内縁１２における一対の第２端部３１の取り付け位置は、縦方向Ｌでみて、第１端部２１の取り付け位置よりも低くなっている。従って、例えば、第１曲軸体２と、第２曲軸体３を軸回転Ｒ２させることにより、外側からみて第２曲軸体３、第１曲軸体２の順で開口部１１の内部に収納させ、これらを一枚板状の構成となるように折り畳むことができる。一枚板状の構成となるように折り畳むため、第２支持辺３２は、第１端部２１と重なる部分が凹状に屈曲しており、この凹状屈曲部分が第１端部２１の退避空間となることにより、第１、第２曲軸体２、３が重ねあわされる。
【００３５】
第１網部４１は、開口部１１を覆っている。第１網部４１は、レーヨン（ＲＡＹＯＮ）、ナイロン（ＮＹＬＯＮ）、ポリ塩化ビニル、ポリエステル（ＰＯＬＹＥＳＴＥＲ）等の合成繊維により構成される網体であって、さらに、波長380〜200 nmの近紫外線(near UV）を吸収する近紫外線吸収材料を含む合成繊維により構成される。第１網部４１を近紫外線吸収材料を含む合成繊維で構成した場合、烏が内部を見ることができなくなるから、烏の食害が防止される。
【００３６】
第１網部４１は、袋状の収納空間と、収納空間に開口する開口部４０とを有し、開口部４０を通じて袋状の内部に本体部１０が収納されることにより、開口部１１を覆う。図１乃至図５の第１網部４１は、正面からみて本体部１０の形状に追従した矩形形状の袋状体であり、縦方向Ｌでみて下側の長辺に沿って開口部４０が形成されている。
【００３７】
第１網部４１は、袋状の内部に本体部１０が収納され、開口部１１を覆った状態で、紐やクリップなどの保持具５によって本体部１０に着脱可能に固定される。保持具５は、本体部１０、及び、第１網部４１の寸法に応じて、複数が用いられ、長辺、短辺などの適当な個所において、第１網部４１と、本体部１０とを一体的に保持することにより、第１網部４１が、本体部１０に着脱可能に固定される。
【００３８】
第２網部４２は、第１網部４１と同じ材料を用いて構成することができる。図１乃至図５の実施形態では、第１、第２網部４１、４２の見分けやすさを考慮して、網目の大きさに差異を持たせて図示しているが、第１、第２網部４１、４２は同じ大きさの網目のものであってもよい。
【００３９】
第２網部４２は、第１、第２曲軸体２、３にまたがって、一対の第１支持辺２２、２２と第１移動辺２３、及び、一対の第２支持辺３２と第２移動辺３３とに、取り付けられる。第２網部４２は、一枚のシート状であって、例えば、第１曲軸体２と、第２曲軸体３とを、互いのコの字状の開口部分が向い合せとなるように配置させ、一対の第１支持辺２２、２２と第１移動辺２３、及び、一対の第２支持辺３２と第２移動辺３３が連続する略矩形形状のフレームを構成したとき、第２網部４２の周縁が、保持具５を介して、一対の第１支持辺２２、２２、第１移動辺２３、一対の第２支持辺３２、第２移動辺３３に取り付けられることにより、略矩形形状のフレームの内側に構成される開口部分を覆う。
【００４０】
第２網部４２は、軸回転（Ｒ１、Ｒ２）による相対的な位置の差異に応じて２つの曲軸体２、３の間に生じる隙間ｇを覆う。具体的に、第２網部４２は、第１移動辺２３の回動動作と、第２移動辺３３の回動動作とに応じて、いわゆる蛇腹状に伸縮され、第１、第２移動辺２３、３３の回動位置の差異に応じて生じる第１、第２曲軸体２、３の間の隙間ｇを覆う。
【００４１】
ゴミ収納空間１００は、第１網部４１と、第２網部４２とによって画定され、軸回転（Ｒ１、Ｒ２）に応じて開閉される。具体的に、ゴミ収納空間１００は、担架兼用ゴミ収納装置１が実際に設置された状態で、設置面を底部とすることにより、第１網部４１と、第２網部４２と、設置面（図２参照）とによって画定され、第１、第２曲軸体２、３の回動動作（Ｒ１、Ｒ２）と、前記回動動作により移動する第１、第２移動辺２３、３３の回動停止位置に応じて開閉される。
【００４２】
さらに、図１乃至図５の担架兼用ゴミ収納装置１は、補強バンド６（図３参照）と、弾性部材７（図５参照）とを含む。
【００４３】
補強バンド６は、本体部１０、及び、第１網部４１の外周に掛け止められ、開口部１１を横断している。補強バンド６は、耐候性、耐久性、耐摩耗性の観点から合成樹脂シートを無端の筒状としたものであって、好ましくはポリエステルターポリンシートで構成されている。補強バンド６は、筒状の内部に本体部１０、及び、第１網部４１を案内し、縦方向Ｌに沿って開口部１１を横断するように取り付けられる。一例として、補強バンド６は、一つ当たり横方向Ｗでみた幅寸法が１００ｍｍ、縦方向Ｌでみた長さ寸法が６００ｍｍであり、引張強度が５０ｋｇｆである。もっとも、補強バンド６は、後述するように、担架兼用ゴミ収納装置１を担架として用いる場合に、傷病者８２の体重を支えるためのものであるから、その配置数、配置間隔は、必要な機械的強度、及び、傷病者８２搬送時の安定性を考慮して適宜調節することができる。
【００４４】
弾性部材７は、第１支持辺２２と、本体部１０との間に設けられ、第１支持辺２２が一方向（Ｒ１）に回転したとき、第１支持辺２２に対して、回転方向（Ｒ１）とは逆方向（Ｒ２）に反発力を生じさせる。図５の弾性部材７は、いわゆるねじりコイルばねであって、第１端部２１の外面に巻装され、巻装された状態で外部に導出されている一端が第１支持辺２２に掛け止められ、他端が本体部１０に掛け止められている。弾性部材７は、第１曲軸体２に対して、第１端部２１を中心とする円の円弧上に沿って第１移動辺２３をスイング移動させる反発力を付与する。もっとも、弾性部材７は、所定の方向（Ｒ２）へ反発力を付与するために取り付けられるものであるから、必ずしもねじりコイルばねに限定するものではない。例えば、弾性部材７は、板ばね等を用いて構成することができる。
【００４５】
次に、図１乃至図５の担架兼用ゴミ収納装置１の使用状態、及び、使用方法について図６乃至図７を参照して説明する。まず、図６に示すように、担架兼用ゴミ収納装置１は、所定のゴミ収集場所において、例えば、民家の壁やガードレール８１等に、本体部１０が設置面に対し垂直となるように、フックや紐などの掛け止め具（図示省略）を用いて取り付けられる。担架兼用ゴミ収納装置１は、ゴミ８０が出される前の状態では、第１曲軸体２と、第２曲軸体３を軸回転（Ｒ２）させることにより、開口部１１の内部に収納させ、これらを一枚板状の構成となるように折り畳まれている。図６からは必ずしも明らかではないが、本体部１０、第１曲軸体２、第２曲軸体３は、フックや紐などの掛け止め具（図示省略）によって、折り畳まれた状態で結束、固定されている。
【００４６】
他方、一点鎖線で示す領域は、設置面上でみたゴミ収納空間１００（図１参照）の底部相当領域である。最初にゴミ８０を出す地域住民は、同領域（１００）に家庭ゴミ８０を載置した後、掛け止め具を解き、第２曲軸体３を設置面側に下ろして、ゴミ８０をゴミ収納空間１００に収納させる。第２曲軸体３には弾性部材７が取り付けられていないから、掛け止め具を解き、第２曲軸体３を設置面側に傾けることにより、第２曲軸体３が重力に従って自動的に軸回転Ｒ１し、設置面に落下する。
【００４７】
次に、２番目以降にゴミ８０を出す地域住民は、第２曲軸体３を設置面から遠ざかる方向（本体部１０の側）に回転Ｒ２させるか、又は、第１曲軸体２を回転Ｒ１させて設置面側に下ろしてゴミ収納空間１００を再び開放させる。図７に示すように第１曲軸体２を設置面側に下ろしてゴミ収納空間１００を開放させ、開放させたゴミ収納空間１００に家庭ゴミ８０を投入した後、第１曲軸体２を本体部１０の側に軸回転Ｒ２させて、ゴミ収納空間１００を閉鎖させる。第１曲軸体２には弾性部材７が取り付けられているから、第１曲軸体２から手を放すだけで、弾性部材７の付勢力により、第１曲軸体２が自動的に軸回転Ｒ２し、本体部１０の側に上昇する。すなわち、担架兼用ゴミ収納装置１（図１参照）は、第１曲軸体２の側（本体部１０側）と、第２曲軸体３の側（設置面側）の上下両方でゴミ収納空間１００を開閉することができる。
【００４８】
また、ゴミ回収業者は、第２曲軸体３を設置面から遠ざかる方向に回転Ｒ２させるより、ゴミ８０を外部に露出させ、投入された全てのゴミ８０を回収するとともに、第１曲軸体２と、第２曲軸体３を軸回転Ｒ２させることにより、開口部１１の内部に収納させ、フックや紐などの掛け止め具（図示省略）を付け直して、本体部１０、第１曲軸体２、第２曲軸体３の全てが折り畳まれた図６の状態に戻す。
【００４９】
ところで、既に説明したところではあるが、家庭ゴミ等のゴミ収集場所において、地域住民が所定のゴミ収集場所にゴミを出してから、ゴミ収集車が出されたゴミを収集するまでの間に、烏や鳩、猫など人間の生活圏に存在する鳥獣が食い荒らし、ゴミ収集場所、及び、その付近の道路上に、食い荒らされたゴミが散乱することが知られている。
【００５０】
上述した鳥獣の食害によるゴミの散乱を防止し、ゴミ収集場所の付近を清潔に保つとともに、ゴミ収集作業をするため、従来より、種々のゴミ収納装置が提案され、実用に供されている。
【００５１】
しかし、従来のゴミ収納装置では、以下の点で問題が生じる。まず、一般に、ゴミ収集場所は一地域内に分散して多数配置されるため、この種のゴミ収納装置は、一つ当たりの製造費、ゴミ収集場所までの運搬費、ゴミ収集場所での設置費などのコストが抑えられなければならない。また、この種のゴミ収納装置は、自動車や歩行者の通行を妨げないよう、通常、歩道上の限られたスペースに設置されるから、省スペース化が実現されていなければならない。これに対し、従来のいわゆるゴミストッカーは、本体部分が箱状である分だけ嵩張るから、コスト高を招くとともに、相当な広さの設置スペースが必要となる。
【００５２】
また、いわゆるゴミ保護ネットは、これを支持させるための特別な機構を有しないから、例えば強風によって容易に吹き飛ばされ、ゴミが外部に露出する問題が生じる。また、違う観点からみれば、ゴミ保護ネットを開閉させるための特別な機構を有しないから、地域住民は、自分が出したゴミ、さらには既に出されている他人のゴミの両者を完全に覆うように、ゴミ保護ネットを手作業で配置する必要があるものの、ゴミ保護ネットの配置は杜撰に行われることが少なくない。その結果、ゴミが外部に露出する問題が生じる。
【００５３】
これに対し、図１乃至図７を参照して説明した担架兼用ゴミ収納装置１は、上述した課題を全て解決する解決することができる。例えば、担架兼用ゴミ収納装置１は、金属パイプを無端状の枠体とした本体部１０と、金属製の中実棒状体である第１、第２曲軸体２、３と、第１網部４１と、第２網部４２とによって構成されるから、安価に製造される。
【００５４】
また、上記担架兼用ゴミ収納装置１の構成によると軽量である。従って、担架兼用ゴミ収納装置１は、安価、且つ、軽量であるから、一地域内に分散して多数存在するゴミ収集場所のそれぞれに配置したとしても、一つ当たりの製造費、ゴミ収集場所までの運搬費、ゴミ収集場所での設置費などのコストを低減することができる。
【００５５】
第１、第２曲軸体２、３のそれぞれは、両端が本体部１０に軸回転可能に取り付けられているから、例えば、第１、第２曲軸体２、３を軸回転（Ｒ２）させることにより、外側から第２曲軸体３、第１曲軸体２の順で開口部１１の内部に収納させ、これらを一枚板状の構成となるように折り畳むことができる。従って、省スペース化を実現しうる担架兼用ゴミ収納装置１を提供することができる。
【００５６】
第１網部４１は、袋状の収納空間と、収納空間に開口する開口部４０とを有し、開口部４０を通じて袋状の内部に本体部１０が収納されることにより、開口部１１を覆う。この構成によると、経年劣化にともなう第１網部４１の交換作業において、古い第１網部４１を本体部１０から取り外す作業、及び、新しい第１網部４１を本体部１０に取り付ける作業を容易、かつ、迅速に行うことができる。従って、維持管理コストを低減することができる。
【００５７】
第１網部４１は開口部１１を覆っており、第２網部４２は第１、第２曲軸体２、３にまたがって取り付けられる。この構成によると、第１網部４１は本体部１０によって支持され、第２網部４２は第１、第２曲軸体２、３によって支持されるから、例えば強風によって吹き飛ばされる不具合は生ぜず、従って、ゴミ８０が外部に露出する問題も生じない。
【００５８】
担架兼用ゴミ収納装置１のゴミ収納空間１００は、第１網部４１と、第２網部４２とによって画定され、第１、第２曲軸体２、３の軸回転（Ｒ１、Ｒ２）に応じて開閉される。すなわち、第１網部４１は開口部１１を覆っており、第２網部４２は第１、第２曲軸体２、３にまたがって取り付けられ、軸回転（Ｒ１、Ｒ２）による相対的な位置の差異に応じて第１、第２曲軸体２、３の間に生じる隙間ｇを覆う。図６、図７を参照して説明したように、例えば、地域住民は、第１、第２曲軸体２、３の何れかを軸回転（Ｒ１、Ｒ２）させることによりゴミ収納空間１００を開放してゴミ収納空間１００にゴミ８０を投入し、投入後は軸回転（Ｒ１、Ｒ２）させた曲軸体を逆方向に回転させてゴミ収納空間１００を閉鎖することができる。従って、鳥獣の食害によるゴミ８０の散乱を防止しうる担架兼用ゴミ収納装置１を提供することができる。
【００５９】
しかも、ゴミ収納空間１００は、第１、第２曲軸体２、３の軸回転（Ｒ１、Ｒ２）に応じて開閉されるから、第１、第２網部４１、４２の配置が杜撰に行われる不具合は生ぜず、従って、ゴミ８０が外部に露出する問題も生じない。他方、第１網部４１は開口部１１を覆っているから、担架兼用ゴミ収納装置１が、例えばガードレール８１に取り付けられている場合、猫などがガードレール８１側の隙間からゴミ収納空間１００に侵入する不具合は生じない。
【００６０】
担架兼用ゴミ収納装置１の使用方法について、２番目以降にゴミ８０を出す地域住民は、第２曲軸体３を設置面から遠ざかる方向（本体部１０の側）に回転させるか、又は、第１曲軸体２を設置面側に下ろしてゴミ収納空間１００を開放させる。図７に示すように第１曲軸体２を設置面側に下ろしてゴミ収納空間１００を開放させ、開放させたゴミ収納空間１００に家庭ゴミ８０を投入した後、第１曲軸体２を本体部１０の側に軸回転（Ｒ２）させて、ゴミ収納空間１００を閉鎖させる。第１曲軸体２には弾性部材７が取り付けられているから、第１曲軸体２から手を放すだけで、弾性部材７の付勢力により、第１曲軸体２が自動的に軸回転（Ｒ２）し、本体部１０の側に上昇するから、地域住民ひとりひとりが行うゴミ８０の投入作業を容易、且つ、清潔に行うことができる。
【００６１】
また、ゴミ８０回収業者は、図６に示すように第２曲軸体３を設置面から遠ざかる方向（Ｒ２）に回転させるより、投入された全てのゴミ８０を素早く回収することができる。従って、ゴミ収集作業の高効率化を実現することができる。
【００６２】
さらに、ゴミ８０回収業者は、全てのゴミ８０を回収した後、第１曲軸体２と、第２曲軸体３とを、開口部１１の内部に収納させ、フックや紐などの掛け止め具（図示省略）を付け直して、本体部１０、第１曲軸体２、第２曲軸体３の全てが折り畳まれた状態になおす。この構成によると、通常、歩道上の限られたスペースに設置されたとしても、自動車や歩行者の通行を妨げない省スペース化を実現することができる。
【００６３】
ところで、近年、東日本大震災を契機として、自然災害や事件、事故（災害等）に対する国民の防災意識が高まっている。特に、災害等の人的被害を最小限に抑えるには、災害等の発生の初期段階、すなわち、人々が現に生活している地域内で、目の前の要救助者に対し、地域住民が迅速に救助活動を行うことが求められる。
【００６４】
上述した要請に対し、担架兼用ゴミ収納装置１を構成する本体部１０は、無端状の枠体であり、中央に枠体によって囲まれた開口部（１１）を有している。第１網部４１は、開口部（１１）を覆っている。この構成によると、開口部（１１）が地面と平行になるように本体部１０を持つことにより、図８に示すように、第１網部４１に傷病者８２などを載せて搬送するなど、いわゆる担架として用いることができる。
【００６５】
ここで、本体部１０は、無端状の枠体であるから、担架として要求される機械的強度を備えている。また、本発明に係るゴミ収納装置を担架として用いる場合、第１、第２曲軸体２、３を軸回転させて、本体部１０に重ね合わせることにより、第１、第２曲軸体２、３と、本体部１０とが同一面を構成するから、傷病者８２を安定した姿勢で、安全に搬送することができる。
【００６６】
さらに、図８の担架兼用ゴミ収納装置１は、補強バンド６（図４参照）を含む。補強バンド６は、本体部１０に掛け止められ、開口部（１１）を横断しているから、担架兼用ゴミ収納装置１を担架として用いる場合に、傷病者８２の体重や、体格、身長などに関わらず、これを補強バンド６で支え、傷病者８２を安定した姿勢で、安全に搬送することができる。
【００６７】
また、担架兼用ゴミ収納装置１は、金属パイプを無端状の枠体とした本体部１０と、金属製の中実棒状体である第１、第２曲軸体２、３と、第１網部４１と、第２網部４２とによって構成されるから、軽量である。従って、搬送者の体力的な負担を軽減することができる。
【００６８】
以上、好ましい実施例を参照して本発明の内容を具体的に説明したが、本発明の基本的技術思想及び教示に基づいて、当業者であれば、種種の変形態様を採り得ることは自明である。例えば、傷病者８２を安全に搬送する観点から、本体部１０の外周側に把手を追加することもできる。
【符号の説明】
【００６９】
１          担架兼用ゴミ収納装置
１００      ゴミ収納空間
１０        本体部
１１        開口部
２          第１曲軸体
３          第２曲軸体
４１        第１網部
４２        第２網部
Ｒ１，Ｒ２  軸回転
ｇ          ２つの曲軸体の間に生じる隙間
【図１】
2014234302.tif 000003
【図２】
2014234302.tif 000004
【図３】
2014234302.tif 000005
【図４】
2014234302.tif 000006
【図５】
2014234302.tif 000007
【図６】
2014234302.tif 000008
【図７】
2014234302.tif 000009
【図８】
2014234302.tif 000010